(57)【要約】【課題】通話機能を不要として小型化および低価格化を図るとともに、待受時における電力消費を抑えて低電力化を図る。【解決手段】来訪者による呼出操作としてカメラ付玄関機１の呼出ボタン１０が操作されると、カメラ１３にて来訪者の映像の撮影が開始されるとともに呼出確認音発生部１２から呼出確認音が発報し、２線ケーブルＬ１を介してカメラ付玄関機に接続されたモニタ付室内機２では、当該呼び出しを検出した呼出検出部２０の制御によりカメラにて撮影された映像がモニタ２３に表示されるとともに呼出音発生部２１から呼出音が発報する。また、カメラ付玄関機の構成各部／回路は、モニタ付室内機からの電源（直流電源）の供給が呼出時の動作電源となる。さらに、カメラ付玄関機のカメラにて撮影された来訪者の映像は、モニタ付室内機の映像メモリ回路２４に録画することができる。【選択図】  図１
2004229108.tif 000002
【特許請求の範囲】
【請求項１】
来訪者が居住者を呼び出すための呼出ボタン（１０）、前記来訪者の映像を撮影するためのカメラ（１３）および前記居住者を呼び出した呼出確認音を発生するための呼出確認音発生部（１２）を有するカメラ付玄関機（１）と、前記カメラ付玄関機に２線ケーブル（Ｌ１）を介して接続され、前記カメラ付玄関機からの呼び出しを検出するための呼出検出部（２０）、前記カメラ付玄関機のカメラにて撮影された映像を表示するためのモニタ（２３）および前記カメラ付玄関機から呼び出されて呼出音を発生するための呼出音発生部（２１）を有するモニタ付室内機（２）とを備えたことを特徴とする居住者呼出表示装置。
【請求項２】
来訪者が居住者を呼び出すための呼出ボタン（１０）、前記来訪者の映像を撮影するためのカメラ（１３）および前記居住者を呼び出した呼出確認音を発生するための呼出確認音発生部（１２）を有するカメラ付玄関機（１）と、前記カメラ付玄関機に２線ケーブル（Ｌ２）を介して接続され、前記カメラ付玄関機からの呼び出しを検出するための呼出検出部（２０）および呼出音を発生するための呼出音発生部（２１）を有する室内機（３）と、前記カメラ付玄関機のカメラにて撮影された映像を表示するためのテレビ受像機（５）に接続された映像録画機能（４）とを備えたことを特徴とする居住者呼出表示装置。
【請求項３】
前記カメラ付玄関機は、前記モニタ付室内機または前記室内機から前記２線ケーブルを介して電源が供給されることを特徴とする請求項１または請求項２記載の居住者呼出表示装置。
【請求項４】
前記カメラ付玄関機は、電池（１８）から電源が供給されることを特徴とする請求項１または請求項２記載の居住者呼出表示装置。
【請求項５】
前記カメラ付玄関機は、前記呼出ボタンの操作に連動して前記カメラ付玄関機の電源の供給を開始するための連動スイッチ（１５）を備えることにより、待受時における電力消費を低減できることを特徴とする請求項１または請求項２記載の居住者呼出表示装置。
【請求項６】
前記カメラ付玄関機のカメラにて撮影した映像を前記モニタ付室内機に内蔵された映像メモリ回路（２４）または前記映像録画機能にて録画させる機能を備えたことを特徴とする請求項１または請求項２記載の居住者呼出表示装置。
【発明の詳細な説明】
【０００１】
【発明の属する技術分野】
本発明は居住者呼出表示装置に係り、特に、玄関に居る来訪者により呼出操作が行われたカメラ付玄関機からの呼び出しを住戸内に在室中の居住者へと報知（発報／表示）する居住者呼出表示装置に関する。
【０００２】
【従来の技術】
従来から、この種の居住者呼出表示装置として、カメラ付玄関機にて呼出操作を行った玄関に居る来訪者からの呼び出しを、住戸内に設置されたモニタ付室内機にて発報される呼出音とともに当該カメラ付玄関機にて撮影された映像をもとに在室中の居住者に対して報知し、これを確認した居住者が応答操作を行うことにより来訪者との間で通話を成立させることができるインターホン装置が提案／開示されている。（例えば、非特許文献１参照）
【非特許文献１】アイホン  総合カタログ２００１／２００２年版  ３０〜３１頁
【０００３】
【発明が解決しようとする課題】
しかしながら、従来例の居住者呼出表示装置をなすインターホン装置を、単身者が居住するようなワンルームマンション等に設置する機器として適用するにあたり、カメラ付玄関機にて呼出操作を行った玄関に居る来訪者からの呼び出しを報知するモニタ付室内機には、呼び出しを確認する手段をなす呼出音の発報および映像の表示のみで充分とされ、応答操作に起因して能動となる通話機能は不要であった。
【０００４】
本発明は、上述の難点を解消するためになされたもので、玄関に居る来訪者からの呼び出しを発報／表示にて報知する機能のみを備え通話機能を不要として小型化および低価格化を図るとともに、待受時における電力消費を抑えて低電力化を図る居住者呼出表示装置を提供することを目的としている。
【０００５】
【課題を解決するための手段】
上述の目的を達成するため、本発明の居住者呼出表示装置は、来訪者が居住者を呼び出すための呼出ボタン、来訪者の映像を撮影するためのカメラおよび居住者を呼び出した呼出確認音を発生するための呼出確認音発生部を有するカメラ付玄関機と、カメラ付玄関機に２線ケーブルを介して接続され、カメラ付玄関機からの呼び出しを検出するための呼出検出部、カメラ付玄関機のカメラにて撮影された映像を表示するためのモニタおよびカメラ付玄関機から呼び出されて呼出音を発生するための呼出音発生部を有するモニタ付室内機とを備えたものである。
【０００６】
このような居住者呼出表示装置によれば、来訪者による呼出操作としてカメラ付玄関機の呼出ボタンが操作されると、カメラにて来訪者の映像の撮影が開始されるとともに呼出確認音発生部から呼出確認音が発報し、２線ケーブルを介してカメラ付玄関機に接続されたモニタ付室内機では、当該呼び出しを検出した呼出検出部の制御によりカメラにて撮影された映像がモニタに表示されるとともに呼出音発生部から呼出音が発報する。
【０００７】
また、本発明の居住者呼出表示装置は、来訪者が居住者を呼び出すための呼出ボタン、来訪者の映像を撮影するためのカメラおよび居住者を呼び出した呼出確認音を発生するための呼出確認音発生部を有するカメラ付玄関機と、カメラ付玄関機に２線ケーブルを介して接続され、カメラ付玄関機から呼び出しを検出するための呼出検出部および呼出音を発生するための呼出音発生部を有する室内機と、カメラ付玄関機のカメラにて撮影された映像を表示するためのテレビ受像機に接続された映像録画機能とを備えたものである。
【０００８】
このような居住者呼出表示装置によれば、来訪者による呼出操作としてカメラ付玄関機の呼出ボタンが操作されると、カメラにて来訪者の映像の撮影が開始されるとともに呼出確認音発生部から呼出確認音が発報し、２線ケーブルを介してカメラ付玄関機に接続された室内機では、当該呼び出しを検出した呼出検出部の制御により呼出音発生部から呼出音が発報し、テレビ受像機では、ＶＴＲ、室内機、２線ケーブルを介して接続されているカメラ付玄関機のカメラにて撮影された映像が表示される。
【０００９】
また、本発明の居住者呼出表示装置において、カメラ付玄関機は、モニタ付室内機または室内機から２線ケーブルを介して電源が供給されるものである。
【００１０】
このような居住者呼出表示装置によれば、カメラ付玄関機の構成各部／回路は、２線ケーブルを介して接続されたモニタ付室内機または室内機からの電源（直流電源）の供給が呼出時の動作電源となる。
【００１１】
また、本発明の居住者呼出表示装置において、カメラ付玄関機は、電池から電源が供給されるものである。
【００１２】
このような居住者呼出表示装置によれば、カメラ付玄関機の構成各部／回路は、当該カメラ付玄関機に内蔵された電池からの電源（直流電源）の供給が待受時の動作電源となる。
【００１３】
また、本発明の居住者呼出表示装置は、呼出ボタンの操作に連動してカメラ付玄関機の電源の供給を開始するための連動スイッチを備えることにより、待受時における電力消費を低減できる。
【００１４】
このような居住者呼出表示装置によれば、来訪者による呼出操作としてカメラ付玄関機の呼出ボタンが操作されると、連動スイッチがオフ状態からオン状態へと切り換えられ、２線ケーブルを介して接続されたモニタ付室内機または室内機からの電源（直流電源）の供給が開始され呼出時の動作電源となることにより、待受時における電力消費が抑えられ低電力化が図れる。
【００１５】
また、本発明の居住者呼出表示装置において、カメラ付玄関機のカメラにて撮影した映像をモニタ付室内機に内蔵された映像メモリ回路または映像録画機能にて録画させる機能を備えたものである。
【００１６】
このような居住者呼出表示装置によれば、カメラ付玄関機のカメラにて撮影した映像を、２線ケーブルを介して接続されたモニタ付室内機の映像メモリ回路または２線ケーブル、室内機を介して接続される映像録画機能に録画することができる。
【００１７】
【発明の実施の形態】
以下、本発明の居住者呼出表示装置を適用した好ましい形態の実施例について、図面を参照して説明する。
【００１８】
図１は、本発明の第１の実施例による居住者呼出表示装置の構成を示すブロック図である。
【００１９】
図１のブロック図に示す居住者呼出表示装置は、玄関に設置されるカメラ付玄関機１と、住戸内に設置され２線ケーブルＬ１を介してカメラ付玄関機１に接続されたモニタ付室内機２とが備えられている。
【００２０】
カメラ付玄関機１は、玄関に居る来訪者が住戸内に在室中の居住者を呼び出すために操作する呼出ボタン１０と、呼出ボタン１０の操作、すなわち来訪者による呼出操作を検出するための呼出検出部（以下、玄関機呼出検出部という。）１１と、玄関機呼出検出部１１により制御され、呼出操作が正常に行われた旨を来訪者に確認させるための呼出確認音を発生する例えば、スピーカ等からなる呼出確認音発生部１２と、玄関機呼出検出部１１により制御され、呼出操作を行った来訪者の映像を撮影するためのカメラ１３および当該カメラにて撮影され信号処理された映像信号を変調（ＦＭ変調）するための映像変調部１４と、玄関機呼出検出部１１の制御によりオン／オフ切り換えられる連動スイッチ１５と、モニタ付室内機２から給電されてくる電源（直流電源）を呼出ボタン１０の操作時のみオン状態の連動スイッチ１５を介して受電し、受電した電源を当該カメラ付玄関機の構成各部／回路へ動作電源として供給開始するための電源回路（以下、玄関機電源回路という。）１６と、玄関機呼出検出部１１、映像変調部１４、連動スイッチ１５の各部と２線ケーブルＬ１との間の信号伝送路および電源供給路を形成するための多重・分離機能を備えたインターフェース（以下、玄関機Ｉ／Ｆという。）１７とを有する。
【００２１】
また、モニタ付室内機２は、来訪者によるカメラ付玄関機１の呼出ボタン１０の操作を検出するための呼出検出部（以下、室内機呼出検出部という。）２０と、室内機呼出検出部２０により制御され、カメラ付玄関機１にて呼出操作を行った来訪者からの呼び出しがある旨を居住者に確認させるための呼出音を発報する例えば、スピーカ等からなる呼出音発生部２１と、室内機呼出検出部２０により制御され、カメラ付玄関機１のカメラ１３にて撮影された映像であり２線ケーブルＬ１を介して伝送されてくる映像変調信号を復調（ＦＭ復調）するための映像復調部２２および当該映像復調部を介して復調された映像信号を信号処理し上述の映像を表示するためのモニタ２３、同様に当該映像復調部を介して復調された映像信号を録画、すなわちカメラ付玄関機１のカメラ１３にて撮影された映像を録画するための映像メモリ回路２４と、室内機呼出検出部２０により制御され、商用電源（ＡＣ１００Ｖ）を整流／平滑し、整流／平滑させた直流電源を当該モニタ付室内機の構成各部／回路およびカメラ付玄関機１の構成各部／回路へ動作電源として供給するための電源回路（以下、室内機電源回路という。）２５と、室内機呼出検出部２０、映像復調部２２、室内機電源回路２５の各部／回路と２線ケーブルＬ１との間の信号伝送路および電源供給路を形成するための多重・分離機能を備えたインターフェース（以下、室内機Ｉ／Ｆという。）２６とを有する。
【００２２】
このように構成された本発明の第１の実施例による居住者呼出表示装置において、以下、具体的な動作を図１のブロック図を参照して説明する。
【００２３】
当該居住者呼出表示装置が待受状態、すなわち玄関に居る来訪者からの呼び出しがなく通話も行われていない待受時において、住戸内に設置されるモニタ付室内機２の室内機電源回路２５は、商用電源（ＡＣ１００Ｖ）について整流／平滑させた直流電源を、当該モニタ付親機の構成各部／回路への待受時における動作電源として供給しているばかりでなく、この直流電源を室内機Ｉ／Ｆ２６、２線ケーブルＬ１を介してカメラ付玄関機１へと供給しているが、上述の待受時においてカメラ付玄関機１の連動スイッチ１５はオフ状態であり、玄関機Ｉ／Ｆ１７から玄関機電源回路１６への電源供給路は遮断され電源（動作電源）の供給も停止されることから待受時における電力消費を低減できる。なお、上述の待受時において、玄関機電源回路１６は、後述する呼出時に予め蓄電されるモニタ付室内機２の玄関機電源回路２５からの直流電源を、当該カメラ付玄関機の構成各部／回路へ動作電源として供給する。
【００２４】
ここで、住戸内に在室中の居住者を呼び出すために、玄関に居る来訪者がカメラ付玄関機１の呼出ボタン１０を操作すると、呼出操作を検出した玄関機呼出検出部１１の制御により連動スイッチ１５がオフ状態からオン状態へと切り換えられて上述の電源供給路が形成されモニタ付玄関機２の玄関機電源回路２５から給電されてくる直流電源を動作電源として当該カメラ付玄関機の構成各部／回路へと供給することができる。また、呼出操作を検出した玄関機呼出検出部１１は、呼出確認音発生部１２を制御して呼出確認音を発報させ当該呼出操作が正常に行われた旨を来訪者に対して報知するばかりでなく、カメラ１３および映像変調部１４を作動（作動開始）させ、併せて呼出信号を玄関機Ｉ／Ｆ１７へと出力する。
【００２５】
カメラ付玄関機１の玄関機呼出検出部１１により作動状態に制御されたカメラ１３および映像変調部１４のうち、カメラ１３は来訪者の映像の撮影を開始する。また、映像変調部１４は、カメラ１３にて撮影され信号処理された映像信号を映像変調信号に変調（ＦＭ変調）して玄関機Ｉ／Ｆ１７へと出力する。
【００２６】
カメラ付玄関機１の玄関機Ｉ／Ｆ１７は、玄関機呼出検出部１１からの呼出信号と映像変調部１４からの映像変調信号とを重畳し、重畳させた多重信号を２線ケーブルＬ１を介してモニタ付室内機２の室内機Ｉ／Ｆ２６へと出力する。また、モニタ付室内機２の室内機Ｉ／Ｆ２６は、カメラ付玄関機１からの多重信号を呼出信号と映像変調信号とに分離し、呼出信号は室内機呼出検出部２０へ、映像変調信号は映像復調部２２へとそれぞれ出力する。
【００２７】
カメラ付玄関機１からの呼出信号が入力されたモニタ付室内機２の室内機呼出検出部２０は、玄関に居る来訪者からの呼び出しを検出し呼出音発生部２１を制御して呼出音を発報させるとともに映像復調部２２およびモニタ２３を制御して作動（作動開始）させるばかりでなく、室内機電源回路２５を制御して上述の待受時における電源供給路と同様な経路を介してカメラ付玄関機１の玄関機電源回路１６へと呼出時の動作電源を供給する。
【００２８】
モニタ付室内機２の映像復調部２２は、カメラ付玄関機１からの映像変調信号を復調（ＦＭ復調）し、復調させた映像信号をモニタ２３へと出力することにより、玄関にて呼出操作を行った来訪者の映像がモニタ２３に表示されることにより、居住者は、呼出音の発報による視覚的確認手段のみならず映像の表示をもとに来訪者からの呼び出しを当該来訪者の判別と併せて確認できる。
【００２９】
なお、モニタ付室内機２の映像復調部２２を介して復調（ＦＭ復調）された映像信号は、映像メモリ回路２４に録画させることもでき、録画された映像、すなわち玄関にて呼出操作を行った来訪者の映像は、適宜な読出手段（詳述せず）により読み出されてモニタ２３に表示される。
【００３０】
次に、上述の第１の実施例と同様な効果、すなわち待受時における電力消費を低減できる居住者呼出表示装置の別の態様を、以下、本発明の第２の実施例による居住者呼出表示装置として図面を参照して説明する。
【００３１】
図２は、本発明の第２の実施例による居住者呼出表示装置の構成を示すブロック図である。なお、本発明の第２の実施例において、上述の第１の実施例に適用された構成部／回路と同様な機能を備えた部分については同一の符号を付して説明は省略する。
【００３２】
図２のブロック図に示す居住者呼出表示装置は、玄関に設置されるカメラ付玄関機１と、住戸内に設置され２線ケーブルＬ２を介してカメラ付玄関機１に接続された室内機３と、２線ケーブルＬ３を介して室内機３に接続された映像録画機能を有する機器、例えばＶＴＲ（Ｖｉｄｅｏ  Ｔａｐｅ  Ｒｅｃｏｒｄｅｒ）４と、ケーブルＬ４を介してＶＴＲ４に接続されたテレビ受像機５とが備えられている。
【００３３】
カメラ付玄関機１は、上述の呼出ボタン１０、玄関機呼出検出部１１、呼出確認音発生部１２、カメラ１３、映像変調部１４、連動スイッチ１５、玄関機電源回路１６、玄関機Ｉ／Ｆ１７を有する。
【００３４】
また、室内機３は、室内機呼出検出部２０、呼出音発生部２１、室内機電源回路２５と、室内機呼出検出部２０、室内機電源回路２５と２線ケーブルＬ２との間の信号伝送路および電源供給路を形成するとともに、後述するインターフェース３１との間の信号伝送路を形成するための多重・分離機能を備えたインターフェース（以下、玄関機側室内機Ｉ／Ｆという。）３０と、玄関機側室内機Ｉ／Ｆ３０と２線ケーブルＬ３との間の信号伝送路を形成するための多重・分離機能を備えたインターフェース（以下、ＶＴＲ側室内機Ｉ／Ｆという。）３１とを有する。
【００３５】
なお、ＶＴＲ４およびテレビ受像機５の具体的な構成についての説明は省略する。
【００３６】
このように構成された本発明の第２の実施例による居住者呼出表示装置において、以下、具体的な動作を図２のブロック図を参照して説明する。
【００３７】
当該居住者呼出表示装置が待受状態、すなわち玄関に居る来訪者からの呼び出しがなく通話も行われていない待受時において、住戸内に設置される室内機３の室内機電源回路２５は、商用電源（ＡＣ１００Ｖ）について整流／平滑させた直流電源を、当該室内機の構成各部／回路への待受時における動作電源として供給しているばかりでなく、この直流電源を玄関機側室内機Ｉ／Ｆ３０、２線ケーブルＬ２を介してカメラ付玄関機１へと供給しているが、上述の待受時においてカメラ付玄関機１の連動スイッチ１５はオフ状態であり、玄関機Ｉ／Ｆ１７から玄関機電源回路１６への電源供給路は遮断され電源（動作電源）の供給も停止されることから待受時における電力消費を低減できる。なお、上述の待受時において、玄関機電源回路１６は、後述する呼出時に予め蓄電される室内機３の室内機電源回路２５からの直流電源を、当該カメラ付玄関機の構成各部／回路へ動作電源として供給する。
【００３８】
ここで、住戸内に在室中の居住者を呼び出すために、玄関に居る来訪者がカメラ付玄関機１の呼出ボタン１０を操作すると、呼出操作を検出した玄関機呼出検出部１１の制御により連動スイッチ１５がオフ状態からオン状態へと切り換えられて上述の電源供給路が形成され室内機３の室内機電源回路２５から給電されてくる直流電源を動作電源として当該カメラ付玄関機の構成各部／回路へと供給することができる。また、呼出操作を検出した玄関機呼出検出部１１は、呼出確認音発生部１２を制御して呼出確認音を発報させ当該呼出操作が正常に行われた旨を来訪者に対して報知するばかりでなく、カメラ１３および映像変調部１４を作動（作動開始）させ、併せて呼出信号を玄関機Ｉ／Ｆ１７へと出力する。
【００３９】
カメラ付玄関機１の玄関機呼出検出部１１により作動状態に制御されたカメラ１３および映像変調部１４のうち、カメラ１３は来訪者の映像の撮影を開始する。また、映像変調部１４は、カメラ１３にて撮影され信号処理された映像信号を映像変調信号に変調（ＦＭ変調）して玄関機Ｉ／Ｆ１７へと出力する。
【００４０】
カメラ付玄関機１の玄関機Ｉ／Ｆ１７は、玄関機呼出検出部１１からの呼出信号と映像変調部１４からの映像変調信号とを重畳し、重畳させた多重信号を２線ケーブルＬ１を介して室内機３の玄関機側室内機Ｉ／Ｆ３０へと出力する。また、室内機３の玄関機側室内機Ｉ／Ｆ３０は、カメラ付玄関機１からの多重信号を呼出信号と映像変調信号とに分離し、呼出信号は室内機呼出検出部２０へ、映像変調信号はＶＴＲ側室内機Ｉ／Ｆ３１、２線ケーブルＬ３を介してＶＴＲ４へとそれぞれ出力する。
【００４１】
カメラ付玄関機１からの呼出信号が入力された室内機３の室内機呼出検出部２０は、玄関に居る来訪者からの呼び出しを検出し呼出音発生部２１を制御して呼出音を発報させるとともに、室内機電源回路２５を制御して上述の待受時における電源供給路と同様な経路を介してカメラ付玄関機１の玄関機電源回路１６へと呼出時の動作電源を供給する。
【００４２】
ＶＴＲ４は、録画可能な状態においてカメラ付玄関機１からの映像変調信号を録画できるばかりでなく、当該映像変調信号をケーブルＬ４を介してテレビ受像機５へと出力することができる。一方、録画が不可能である非作動状態においてＶＴＲ４は、カメラ付玄関機１からの映像変調信号をケーブルＬ４を介してテレビ受像機５へと出力する。
【００４３】
テレビ受像機５は、カメラ付玄関機１からの映像変調信号を復調し、復調させた映像信号をもとに玄関にて呼出操作を行った来訪者の映像を表示することにより、居住者は、呼出音の発報による視覚的確認手段のみならず映像の表示をもとに来訪者からの呼び出しを当該来訪者の判別と併せて確認できる。
【００４４】
なお、ＶＴＲ４に録画された映像変調信号は、適宜な読出手段（詳述せず）により読み出され、ケーブルＬ４を介してテレビ受像機５へと伝送される。
【００４５】
テレビ受像機５では、ＶＴＲ４からの映像変調信号を復調し、復調させた映像信号をもとに玄関にて呼出操作を行った来訪者の映像を表示する。
【００４６】
また、本発明の第１、第２の各実施例では、カメラ付玄関機１の構成各部／回路へと動作電源を供給する当該回路として玄関機電源回路１６を適用したが、これに限定されず、図３のブロック図に示す電池１８も好適とされ、この電池１８を適用するにあたり上述の待受時には当該電池からの直流電源が動作電源となる。一方、呼出時には玄関機呼出検出部１１の制御によりオフ状態からオン状態へと切り換えられた連動スイッチ１５を介してモニタ付室内機２または室内機３の室内機電源回路２５から給電されてくる直流電源が動作電源となることにより、待受時における電力消費を低減できる。
【００４７】
さらに、本発明の第２の実施例では、カメラ付玄関機１のカメラ１１にて撮影された映像を表示するためのテレビ受像機５に接続され、当該映像（映像信号）を録画するための映像録画機能としてＶＴＲを適用したが、これに限定されず、ハードディスク、ＤＶＤ、ＣＤ−Ｒ等の記憶媒体への録画機能を有する機器も好適とされる。
【００４８】
【発明の効果】
以上の説明から明らかなように、本発明の居住者呼出表示装置によれば、カメラ付玄関機の呼出ボタンを操作した玄関に居る来訪者からの呼び出しを、モニタ付室内機または室内機の呼出音発生部から発報される呼出音とカメラ付玄関機のカメラにて撮影されモニタ付室内機のモニタまたはテレビ受像機にて表示される来訪者の映像とともに報知することにより、住戸内に在室中の居住者は、呼出音の発報による視覚的確認手段のみならず映像の表示をもとに来訪者からの呼び出しを当該来訪者の判別と併せて確認でき応答が可能であり、応答操作に起因して能動となる通話機能は不要となることから当該モニタ付室内機または室内機の小型化および低価格化が図れる。
【００４９】
また、当該居住者呼出表示装置が待受状態において、カメラ付玄関機の構成各部／回路への電源（直流電源）の供給は、当該カメラ付玄関機の電源部または電池からの電源（直流電源）の供給が動作電源となり、モニタ付室内機または室内機の電源回路からの電源（直流電源）の供給は遮断されることにより、待受時における電力消費が抑えられ低電力化が図れる。
【００５０】
また、カメラ付玄関機のカメラにて撮影された来訪者の映像は、モニタ付室内機の映像メモリ回路または映像録画機能に録画することができ、録画された映像は、適宜な読出手段により読み出してモニタまたはテレビ受像機に表示することもできる。
【図面の簡単な説明】
【図１】本発明の第１の実施例による居住者呼出表示装置の構成を示すブロック図である。
【図２】本発明の第２の実施例による居住者呼出表示装置の構成を示すブロック図である。
【図３】本発明の第１、第２の各実施例による居住者呼出表示装置において、カメラ付玄関機の別の態様の構成を示すブロック図である。
【符号の説明】
１・・・・・カメラ付玄関機
１０・・・・・呼出ボタン
１２・・・・・呼出確認音発生部
１３・・・・・カメラ
１５・・・・・連動スイッチ
１８・・・・・電池
２・・・・・モニタ付室内機
３・・・・・室内機
２０・・・・・呼出検出部
２１・・・・・呼出音発生部
２３・・・・・モニタ
２４・・・・・映像メモリ回路
４・・・・・映像録画機能（ＶＴＲ）
５・・・・・テレビ受像機
Ｌ１、Ｌ２・・・・・２線ケーブル
【図１】
2004229108.tif 000003
【図２】
2004229108.tif 000004
【図３】
2004229108.tif 000005